(57)【要約】【課題】  受信状態や受信機の動作に応じて受信モードが自動的に切換えられるようにしたデジタル受信装置を提供すること。【解決手段】  ２台のチューナ８、９から入力される受信信号を２系統の復号部１８、１９で処理するようにした復調部２３を備え、ダブルチューナ受信モードとダイバーシチ受信モードに切換えて動作するようにしたデジタル受信装置において、受信状態判定手段２８の出力で制御されるダイバーシチ制御手段２２を設け、ダブルチューナ受信モードとダイバーシチ受信モードの切換えが自動的に行われるようにしたもの。【選択図】図２
2008136216.tif 000002
【特許請求の範囲】
【請求項１】
デジタル放送波を受信する第１のチューナと第２のチューナを備えたデジタル受信装置において、
前記第１のチューナにより現在の視聴に使用するデジタル放送波の受信を行わせると共に、当該第１のチューナによる視聴信号が出力されているとき、前記第２のチューナを使用した動作状態が報知されるように制御する制御手段が設けられていることを特徴とするデジタル受信装置。
【請求項２】
前記制御手段は、前記第２のチューナによって現在の視聴に使用しないデジタル放送波が受信されている場合に、前記第２のチューナを使用して動作していることを報知するように制御することを特徴とする請求項１に記載のデジタル受信装置。
【請求項３】
前記現在の視聴に使用しないデジタル放送波は、電子番組表に関する情報を取得するためのデジタル放送波であることを特徴とする請求項２に記載のデジタル受信装置。
【請求項４】
前記制御手段は、発光素子の発光状態によって前記第２のチューナの動作状態を報知するように制御することを特徴とする請求項１〜３のいずれか１項に記載のデジタル受信装置。
【請求項５】
前記第１のチューナによる視聴信号の出力によって視聴画像を表示する表示手段を有し、
前記制御手段は、前記表示手段に表示される視聴画像上に、第２のチューナを使用した動作状態が表示されるように制御することを特徴とする請求項１〜３のいずれか１項に記載のデジタル受信装置。
【発明の詳細な説明】
【技術分野】
【０００１】
本発明は、直交周波数分割多重方式により送信された信号を受信するデジタル放送受信装置に係り、特にダブルチューナ受信モードとダイバーシチ受信モードの双方で動作するデジタル受信装置に関する。
【背景技術】
【０００２】
直交周波数分割多重化(ＯＦＤＭ：Orthogonal Frequency Division Multi-
plexing)方式のデジタル放送システムでは、１基のアンテナで受信した信号を２系統に分配し、２台のチューナと２台の復調器によりデータを復調するダブルチューナ受信モードと、複数のアンテナで受信した信号を選択合成して出力するダイバーシチ受信モードの２種の受信動作モードが使用されている。
【０００３】
ここで、ダブルチューナ受信モードは、２画面表示や、視聴に使用していないチューナを用いてＥＰＧ(Electoronic Program Guide：電子化番組表)に関する情報を取得することができ、他方、ダイバーシチ受信モードは、電波の受信状態が劣化している場合に有効で、フェージングなどがあっても良好な受信特性を得ることができる。
【０００４】
このとき、これら２種の受信モードを１個の集積回路で実現し、ダブルチューナ受信モードの受信装置とダイバーシチ受信モードの受信装置の何れにも搭載できるようにしたデジタル放送受信機が従来技術として知られている(例えば特許文献１参照。)。
【０００５】
そこで、この従来技術について、図１０により説明すると、この図は、従来技術の復調部までの入力系について示したもので、２基のアンテナ４、５と２台のチューナ８、９を備え、これに復調部３０を組合せている。
【０００６】
このとき、復調部３０は、復調器５０、５１と、第１の切換スイッチ５２、第２の切換スイッチ５３、第３の切換スイッチ５４、それに制御手段５５で構成されていて、各々のチューナ８、９の出力は夫々の復調器５０、５１の入力に供給されるようになっている。
【０００７】
そして、この復調部３０は、まず、それがダブルチューナ受信モードの受信装置に搭載された場合は、第１の切換スイッチ５２と第２の切換スイッチ５３は何れもａ接点に切換え、第３の切換スイッチ５４はｂ接点に切換えて使用する。
【０００８】
これにより変調器５０の出力は第１の外部出力端子５６に導出されると共に、第２の復調器５１の出力は第２の外部出力端子５７に導出され、この結果、上記したように、２画面表示を得るようにしたり、視聴に使用していないチューナを用いてＥＰＧに関する情報を取得したりするようにできる。
【０００９】
一方、復調部３０がダイバーシチ受信モードの受信装置に搭載された場合は、第１の切換スイッチ５２はｂ接点に、そして第３の切換スイッチ５４はａ接点に各々切換え、第２の切換スイッチ５３はｂ接点に切換えて使用する。
【００１０】
これにより第１の復調器５０の出力と第２の復調器５１の出力を共に制御手段５５に入力させ、第１の外部出力端子５６には制御手段５５の出力が導出されるようにする。
【００１１】
このとき、制御手段５５は、第１の復調器５０の出力と、第２の復調器５１の出力のうち、誤りのない方を選択する回路を備えており、これによりダイバーシチ受信モードによる受信機能が与えられ、この結果、上記したように、電波の受信状態が劣化したり、フェージングが生じた場合でも良好な受信特性を保つことができる。
【００１２】
【特許文献１】特開２００３−８４８２号公報
【発明の開示】
【発明が解決しようとする課題】
【００１３】
上記従来技術は、デジタル放送波を受信する第１のチューナと第２のチューナを備えたデジタル受信装置の場合、チューナが２台ある点に配慮がされておらず、視聴に使用していない方のチューナについて、ユーザによる状況認識に問題があった。
【００１４】
本発明は、このような状況に鑑みてなされたもので、その目的は、視聴に使用していないチューナの動作状況が認識できるようにしたデジタル受信装置を提供することにある。
【課題を解決するための手段】
【００１５】
上記目的は、デジタル放送波を受信する第１のチューナと第２のチューナを備えたデジタル受信装置において、前記第１のチューナにより現在の視聴に使用するデジタル放送波の受信を行わせると共に、当該第１のチューナによる視聴信号が出力されているとき、前記第２のチューナの動作状態が報知されるように制御する制御手段が設けられているようにして達成される。
【００１６】
ここで、前記第２のチューナによって現在の視聴に使用しないデジタル放送波が受信されている場合に、前記第２のチューナを使用して動作していることを報知するように制御するようにしても上記目的が達成される。
【００１７】
また、このとき、前記現在の視聴に使用しないデジタル放送波は、電子番組表に関する情報を取得するためのデジタル放送波であるようにしても上記目的が達成される。
【００１８】
更に、このとき、前記制御手段は、発光素子の発光状態によって前記第２のチューナの動作状態を報知するものであるようにしても上記目的が達成される。
【００１９】
更に、また、前記第１のチューナによる視聴信号の出力によって視聴画像を表示する表示手段を有し、前記制御手段は、前記表示手段に表示される視聴画像上に、第２のチューナを使用した動作状態が表示されるように制御するようにしても上記目的が達成される。
【発明の効果】
【００２０】
本発明によれば、デジタル受信装置のユーザは、視聴に使用されていないチューナについても、そのチューナを使用した動作状況がどのようになっているのか認識することができる。
【発明を実施するための最良の形態】
【００２１】
以下、本発明によるデジタル受信装置について、図示の実施の形態により詳細に説明する。
【００２２】
まず、図１は、本発明の第１の実施形態で、復調部２３を備え、その前段に外部アンテナ１と外部アンテナ検出手段２、分配器３、第１の内部アンテナ４、第２の内部アンテナ５、第１のアンテナ切換手段６、第２のアンテナ切換手段７、それに２台のチューナ、つまり第１のチューナ８と第２のチューナ９を設けたものである。
【００２３】
ここで、まず、外部アンテナ１は、例えば屋外の高所に設置した指向性アンテナ(八木アンテナ)などで、このとき外部アンテナ検出手段２は、外部アンテナ１が接続されたことを検出し、接続信号Ａを発生する働きをする。
【００２４】
このとき、分配器３は、外部アンテナ１で受信された信号を第１のアンテナ切換手段６と第２のアンテナ切換手段７に分配する働きをする。
【００２５】
一方、第１の内部アンテナ４と第２の内部アンテナ５は、例えばテレビジョン受像機に内蔵された２本のホイップアンテナなどで、各々は第１のアンテナ切換手段６と第２のアンテナ切換手段７にそのまま接続されている。
【００２６】
次に第１のアンテナ切換手段６と第２のアンテナ切換手段７は、何れも電子切換回路で構成されたもので、切換信号Ｂ、Ｃにより制御され、２回路の入力の一方を選択して出力する働きをする。
【００２７】
そして、まず第１のアンテナ切換手段６は、第１の内部アンテナ４で受信された放送波と外部アンテナ１で受信された放送波の何れか一方を選択して第１のチューナ８に入力するのに使用され、次に第２のアンテナ切換手段７は、第２の内部アンテナ５で受信された放送波と外部アンテナ１で受信された放送波の何れか一方を選択して第２のチューナ９に入力するのに使用される。
【００２８】
そして、第１のチューナ８と第２のチューナ９は、それぞれのアンテナから入力されるＲＦ信号を選局し周波数変換してＩＦ信号にする働きをし、これらのチューナ８、９から出力されたＩＦ信号は夫々復調部２３に入力される。
【００２９】
このとき、復調部２３に入力された各々のＩＦ信号は、まず第１と第２のＡ／Ｄ変換部１０、１１によってデジタル化され、次いで第１と第２の直交検波部１２、１３に供給され、ここでベースバンド信号に復調され、第１と第２のＦＦＴ部１４、１５に供給される。
【００３０】
そこで、第１と第２のＦＦＴ部１４、１５は、夫々に入力された信号をフーリエ変換し、フーリエ変換された信号は第１と第２の等化処理部１６、１７によって伝送路歪みが補償された後、第１と第２の復号部１８、１９に入力され、ここでデマップ処理及び誤り訂正処理が施され、復調データとして復調部２３から出力される。
【００３１】
こうして復調部２３から出力されたデータはＤＥＭＵＸ ＣＰＵ２４に入力され、ここで映像データと音声データに分離される。そして映像データは映像デコーダ２６に入力され、ここで映像出力にデコードされ、音声データは音声デコーダ２７に入力され、音声出力にデコードされる。
【００３２】
そこで、これら映像出力と音声出力をテレビジョン受像機に供給することにより、画像がモニタに再生され、音声がスピーカから再生されることになり、デジタル受信装置としての機能が得られることになる。
【００３３】
次に、この実施形態の動作について説明すると、この実施形態による復調部２３には、上記した外に制御手段２０と選択手段２１、それにダイバーシチ制御手段２２が設けてある。
【００３４】
そして、これにより、ダブルチューナ受信モードの受信装置としての動作と、ダイバーシチ受信モードの受信装置としての動作がダイバーシチ制御手段２２により任意に選択できるようになっている。
【００３５】
そこで、まず本発明の第１の実施形態による切換処理について説明すると、図１において、選択手段２１はダイバーシチ制御手段２２を制御し、これによりダイバーシチ制御手段２２を受信モード制御手段として働かせ、ダブルチューナ受信モードとダイバーシチ受信モードの何れかを選択させるようにする。なお、制御手段２０については後述する。
【００３６】
ここで、まず選択手段２１がダブルチューナ受信モードを選択した場合、ダイバーシチ制御手段２２は、上述のアンテナによる受信から復号までの一連の処理が第１と第２の双方の処理系統で夫々独立に行われ、第１の復号部１８と第２の復号部１９の双方から独立した出力データがＤＥＭＵＸ ＣＰＵ２４に供給されるように制御する。
【００３７】
一方、前記選択手段２１がダイバーシチ受信モードを選択した場合、ダイバーシチ制御手段２２は、第１と第２の等化処理部１６、１７によって等化処理された信号を重み付けして合成し、第１の復号部１８、又は第２の復号部１９に入力する。
【００３８】
このとき、ダイバーシチ制御手段２２は、受信状態が良い方の信号だけを選択して復調するようにしてもよい。
【００３９】
この実施形態によれば、ダイバーシチ受信モードとダブルチューナ受信モードの切換えが、選択手段２１の選択結果に応じて、ダイバーシチ制御手段２２により自動的に与えられることになり、従って、受信機能の有効利用を図ることができる。
【００４０】
次に、本発明の第２の実施形態による受信モードの切換え処理について、図２により説明する。ここで、この図２の実施形態では、図１の実施形態における復調部２３に更に受信状態判定手段２８を設けたものであり、その他の構成は同じである。
【００４１】
そして、この受信状態判定手段２８は、第１と第２の復号部１８、１９で復調されたデータから、受信状態が良好であるか、劣化しているかを判定するようになっている。
【００４２】
ここで、いま、受信状態判定手段２８により、ダブルチューナ受信モードからダイバーシチ受信モードに切換えた方が良いと判定された場合は、選択手段２１によりダイバーシチ受信モードに切換える制御が行われ、ダイバーシチ制御手段２２が動作する。
【００４３】
そこで、ダイバーシチ制御手段２２は、第１の等化処理部１６及び第２の等化処理部１７の出力信号に対して重み付けして合成し、第１の復号部１８、又は第２の復号部１９に出力する。
【００４４】
このとき、第１の等化処理部１６と第２の等化処理部１７の出力信号のうち、受信特性の良い方の信号のみを選択して、出力するようにしてもよい。
【００４５】
一方、受信状態判定手段２８により、ダイバーシチ受信モードからダブルチューナ受信モードに切換えた方が良いと判定された場合、選択手段２１はダイバーシチ制御手段２２の動作を停止させ、第１の等化処理部１６の出力を第１の復号部１８へ入力し、第２の等化処理部１７の出力を第２の復号部１９へ入力するように動作する。
【００４６】
このように制御することにより、視聴に使用していないチューナと復調部を用いて、ＥＰＧ表示のためのＳＩなどの情報取得や、２画面表示等を行うことができる。
【００４７】
このとき、受信状態判定手段２８によってそれぞれの受信状態を取得し、受信状態の良い方をメインとし、これを視聴するために利用するようにすることもできる。
【００４８】
次に、本発明の第３の実施形態による受信状態の判定処理について、同じく図２により説明する。この場合、受信状態判定手段２８は、上述のアンテナによる受信から復号までの一連の処理において、それぞれの受信信号の電力、ＡＧＣ制御レベル、復調信号の誤り率、ノイズレベル、誤り訂正処理後のエラーの有無を取得するように構成されている。
【００４９】
そして、受信状態判定手段２８は、取得した情報の１種、或いは複数の情報から、受信状態が良好であるか否かを判定し、ダブルチューナ受信モードからダイバーシチ受信モードに切換えた方が良いか、ダイバーシチ受信モードからダブルチューナ受信モードに切換えた方が良いかを判定するのである。
【００５０】
このとき、具体的には、例えば受信電力、誤り率、ＡＧＣ制御レベル、ノイズレベルに判定基準となる閾値(スレッショルド値)を設け、受信電力が閾値以上のとき、ＡＧＣ制御レベルが閾値以上のとき、誤り率が閾値以下のとき、ノイズレベルが閾値以下のとき、誤り訂正処理後のエラーがないとき、などの判定基準の何れか１種、或いは複数の組み合わせにより、受信状態が良好であるか否かを判定すれば良い。
【００５１】
次に、本発明の第４の実施形態として、外部アンテナ端子からの入力が検出された場合、ダブルチューナ受信モードに切換えるようにした処理について、図１により説明する。
【００５２】
いま、ここで外部アンテナ１によりＲＦ信号が受信されると、外部アンテナ端子に設けられた外部アンテナ検出手段２が外部アンテナの接続を検知し、外部アンテナが接続されたことを伝える接続信号Ａが制御手段２０に供給される。
【００５３】
そこで、制御手段２０は、選択手段２１に制御信号を供給して、ダブルチューナ受信モードで動作するよに指令すると共に、第１のアンテナ切換手段６と第２のアンテナ切換手段７に制御信号を供給し、外部アンテナ端子側に切換える。
【００５４】
そこで、外部アンテナ１により受信されたＲＦ信号は、分配器３により分配された後、外部アンテナ端子側に切換えられている第１と第２のアンテナ切換手段６、７により第１と第２のチューナ８、９に入力される。
【００５５】
この結果、第１と第２のチューナ８、９から受信信号が出力され、Ａ／Ｄ変換処理と直交検波処理、ＦＦＴ処理、それに等化処理を施されてから、夫々の復号部１８、１９に入力されるようになり、従って、ダブルチューナ受信モードに切換える動作が得られることになる。
【００５６】
このとき、受信状態判定手段２８により、受信状態の良いデータを選び、それをメインとして視聴するためのデータとして出力するようにしてもよい。
【００５７】
通常、外部アンテナ１で受信した場合は、良好な受信状態が得られると予想される。そこで、この実施形態のように、外部アンテナ端子からの入力を検出してダブルチューナ受信モードに切換えるようにすれば、良好な受信状態を前提とした２画面表示や、視聴に使用していないチューナによる情報取得を行うことができる。
【００５８】
次に、本発明の第５の実施の形態として、外部アンテナ１で受信し、ダブルチューナ受信モードで受信動作中、受信状態が劣化した場合のダイバーシチ受信モードに切換える処理について、図２による説明する。
【００５９】
このとき受信状態判定手段２８は、外部アンテナ端子からの入力を外部アンテナ検出手段２により検出し、ダブルチューナ受信モードで動作しているときも定期的に受信状態を検出し判定を行っている。
【００６０】
そして、受信状態判定手段２８が受信状態が劣化していると判定した場合、選択手段２１は、ダブルチューナ受信モードからダイバーシチ受信モードに切換えて動作させるように、ダイバーシチ制御手段２２を制御する。
【００６１】
この場合、ダイバーシチ制御手段２２は、第１と第２の等化処理部１６、１７の出力を選択し或いは合成して、第１の復号部１８、又は第２の復号部１９に入力させ、この結果、ダイバーシチ受信モードによる動作に切換えられる。
【００６２】
このように、受信状態が劣化した場合はダイバーシチ受信モードに切換えるように構成することにより、１基のアンテナによる受信信号だけを用いて復号した場合に比較して、受信特性を改善させることができる。
【００６３】
次に、本発明の第６の実施の形態として、複数の外部アンテナを用いて受信する処理について説明する。ここで、図３は、複数の外部アンテナを接続するための構成の一例である。
【００６４】
図３において、この実施形態では、第１と第２のアンテナ切換手段６、７は、夫々内部アンテナ入力用の切換接点▲(1)▼と第１の外部アンテナ入力用の切換接点▲(2)▼の外に、第２の外部アンテナ入力用の切換接点▲(3)▼を備えている。
【００６５】
そして、第２の外部アンテナ入力用の切換接点▲(3)▼には、外部アンテナ１とは別の２基の外部アンテナ(図示してない)が夫々接続されている。なお、他の構成は図２と同じである。
【００６６】
まず、外部アンテナ１の１基だけで受信する場合、第１と第２のアンテナ切換手段６、７を切換接点▲(2)▼に切換え、分配器３により分配されたＲＦ信号が各チューナ８、９に入力されるようにする。
【００６７】
次に、２基の外部アンテナで受信する場合は、第１と第２のアンテナ切換手段６、７を切換接点▲(3)▼に切換え、それぞれの外部アンテナで受信したＲＦ信号が各チューナ８、９に入力されるようにするのである。
【００６８】
このように切換制御させることで、複数の外部アンテナによる受信が可能となり、例えば受信状態が劣化しやすい環境にある場合、複数の外部アンテナを接続してダイバーシチ受信を行うことにより、受信状態を改善することができるようになる。
【００６９】
この例では、第１と第２のアンテナ切換手段６、７が、１個の内部アンテナ入力端子と２個の外部アンテナ入力端子の合計３個の切換接点を夫々備えた場合について説明したが、これに限らず、２個のアンテナ入力端子で構成する方法も考えられる。
【００７０】
例えば、内部アンテナ入力端子に接続されている内部アンテナを外して外部アンテナを接続可能にしたり、或いは分配器３を用いず、第１と第２の外部アンテナを、それぞれ第１と第２のアンテナ切換手段６、７の外部アンテナ入力端子に接続し、２基の外部アンテナを接続するようにすることができる。
【００７１】
次に、本発明の第７の実施の形態として、外部アンテナの接続が検出されない場合、ダイバーシチ受信モードとして動作させるための処理について、図１により説明する。
【００７２】
受信機の電源投入後、外部アンテナ検出手段２により、外部アンテナ端子への接続が検出されなかった場合、第１と第２の内部アンテナ４、５からの受信信号が第１と第２のアンテナ切換手段６、７により選択され、夫々第１と第２のチューナ８、９に入力され、これらが第１と第２の処理系で、各々Ａ／Ｄ変換と直交検波、ＦＦＴ、それに等化処理が施される。
【００７３】
その後、選択手段２１は、ダイバーシチ制御手段２２を動作させ、ダイバーシチ制御手段２２は、第１及び第２の等化処理部１６、１７の出力を選択し或いは合成して、第１の復号部１８、又は第２の復号部１９に入力させるのである。
【００７４】
ここで、外部アンテナによる入力がない場合、すなわち内部アンテナのみによる受信では、外部アンテナ受信に比較して受信状態が劣化してしまうことが予想される。そこで、このようにダイバーシチ受信を行うことにより、受信状態を改善することができる。
【００７５】
次に、本発明の第８の実施の形態として、複数の内部アンテナによりダイバーシチ受信を行っているとき、受信状態が良好にってダブルチューナ受信モードに切換える処理について、同じく図２により説明する。
【００７６】
この場合、外部アンテナ１による入力がないため、前記の方法によりダイバーシチ受信を行っている場合においても、受信状態判定手段２８は、受信状態の検出及び判定を定期的に行なっている。
【００７７】
そして、受信状態判定手段２８で受信状態が良好であると判定された場合、選択手段２１はダブルチューナ受信モードを選択し、ダイバーシチ制御手段２２の動作を停止させ、第１の等化処理部１６の出力を第１の復号部１８に入力させ、第２の等化処理部１７の出力を第２の復号部１９に入力させる。
【００７８】
内部アンテナによる受信であっても、受信状態が良好である場合は、このように動作することで、２画面表示や、視聴に使用していない復調部を用いたＥＰＧ表示のためのＳＩ等の情報取得等を行うことができる。
【００７９】
次に、本発明の第９の実施の形態として、１基のアンテナによる受信状態が劣化してしまった場合の動作について説明する。
【００８０】
受信状態判定手段２８は、第１と第２の復号部１８、１９の出力から、夫々の受信状態を定期的に検出し、判定している。そして、受信状態判定手段２８により一方の受信状態が劣化していると判定された場合、選択手段２１はダイバーシチ制御手段２２を動作させ、ダイバーシチ制御手段２２は第１及び第２の等化処理部１６、１７の出力を選択或いは合成し、第１の復号部１８、又は第２の復号部１９に入力させる。
【００８１】
このようにして、一方の受信信号が劣化している場合、ダブルチューナ受信モードからダイバーシチ受信モードに切換えてやれば、良好な受信状態を維持させることができる。
【００８２】
ここで、受信信号が劣化し受信が困難になる原因として、受信信号電力の低下が考えられるが、このとき２系統の受信信号を合成するダイバーシチ受信モードを用いてやれば受信信号電力が増加し、１系統の受信信号で復調した場合と比較して、受信特性を改善することができる。
【００８３】
次に、本発明の第１０の実施の形態として、受信状態が良好で、ダブルチューナ受信モードとして動作を開始させた場合に、ＥＰＧ表示のためのＳＩ等の情報取得を行う動作について、同じく図２により説明する。
【００８４】
まず、受信機がダブルチューナ受信モードとして動作を開始する際の動作について説明すると、この場合、以下の３種の場合がある。
【００８５】
第１は、受信機の電源投入後、受信状態判定手段２８によって受信状態が良好であると判定された場合。
【００８６】
第２は、受信状態が劣化していたため、ダイバーシチ受信モードで動作していたが、ここで受信状態判定手段２８により受信状態が良好になったと判定された場合。
【００８７】
第３は、外部アンテナ検出手段２により、外部アンテナ端子への接続が検出された場合である。
【００８８】
このような場合、受信機は選択手段２１の選択によってダブルチューナ受信モードとして動作を開始させると同時に、視聴に用いていないチューナ及び復調部を用いてＥＰＧ表示のためのＳＩ等の情報取得を行うため、受信可能なチャンネルの周波数を、制御手段２０から視聴に用いていないチューナにセットし、情報を取得する。
【００８９】
このように、ダブルチューナ受信モードの動作を開始した直後にＳＩの取得を行うことで、ＥＰＧを表示するための時間を短縮することができる。
【００９０】
次に、本発明の第１１の実施の形態として、２画面表示や、放送に関する情報の取得など、受信機の機能に応じて受信モードを選択する動作について、同じく図２により説明する。
【００９１】
受信機がダイバーシチ受信モードで動作中、図示してない入力手段がユーザにより操作され、これにより２画面表示モード機能に切換えられた場合、或いは放送に関する情報を取得する処理に切換えられた場合、この実施形態では、自動的にダブルチューナ受信モードに切換えるように構成してある。
【００９２】
ここで、放送に関する情報を取得する場合とは、例えば１方のチューナと復調部で視聴しながら、他方のチューナと復調部を用いてＥＰＧ表示のための情報取得を行う場合、或いは１方のチューナと復調部で視聴しながら、他方のチューナと復調部を用いて受信可能なチャンネルを検出するためのサーチを行う場合が考えられる。
【００９３】
そして、これらの動作は、上記したユーザの操作によって行う場合もあれば、受信機のタイマー機能等によって自動的に行う場合もあり、本発明の実施形態としては、何れの場合にも対応できるようにしてある。
【００９４】
図２において、いま、ダイバーシチ受信として動作中、上述のように、２画面表示モードに切換えられた場合、或いは放送に関する情報を取得する場合には、選択手段２１は、ダブルチューナ受信モードに切換えるため、ダイバーシチ制御手段２２の動作を停止させて、第１の等化処理部１６の出力を第１の復号部１８に入力させ、第２の等化処理部１７の出力は第２の復号部１９に入力させる。
【００９５】
２画面表示を行う場合、或いは視聴中にEPG表示のための情報取得や、チャンネルサーチを行う場合は、ダブルチューナ受信モードで動作させる必要があるが、この実施形態によれば、受信機の機能に応じて自動的にダイバーシチ受信状態からダブルチューナ受信状態に切換えることができる。
【００９６】
次に、本発明の第１２の実施の形態として、マニュアル(手動操作)によりダイバーシチ受信モードとダブルチューナ受信モードに切換える動作について、図２により説明する。
【００９７】
ユーザがリモコン、或いは受信機に設けられているボタンなどにより、マニュアルで受信モードの切換えを行うと、この制御信号が制御手段２０に入力され、制御手段２０から選択手段２１に、このとき入力された制御信号に応じて受信モードを選択させるための指示を与える。
【００９８】
そこで、選択手段２１は、ダイバーシチ受信モードからダブルチューナ受信モードに切換えるための指示、或いはダブルチューナ受信モードからダイバーシチ受信モードに切換えるための指示をダイバーシチ制御手段２２に供給する。
【００９９】
これにより、ダイバーシチ制御手段２２は、受け取った指示に従って第１と第２の等化処理部１６、１７の出力を各々の復号部１８、１９に入力させるのである。
【０１００】
このように制御することにより、ユーザはダイバーシチ受信とダブルチューナ受信の切換えを自由に行うことができ、受信品質を重視したい場合はダイバーシチ受信モードにし、視聴しながらＥＰＧ表示のための情報取得や、受信可能なチャンネルを検出するチャンネルサーチ等を行いたい場合はダブルチューナ受信モードにするなどのユーザのニーズに合わせた動作が可能となる。
【０１０１】
次に、本発明の第１３の実施の形態として、いま現在、受信機がダブルチューナ受信モードとして動作しているのか、ダイバーシチ受信モードとして動作しているのかを報知する動作について説明する。
【０１０２】
図４において、第１と第２の復号部１８、１９により誤り訂正された出力データはＤＥＭＵＸ ＣＰＵ２４により、映像データと音声データに分離される。このとき、制御手段２０は、ダブルチューナ受信モードとダイバーシチ受信モードの何れの方式で動作しているかを表わす情報をＯＳＤ表示部２５に供給する。
【０１０３】
そこで、ＯＳＤ表示部２５は、ダブルチューナ受信モードとダイバーシチ受信モードの何れで動作しているがを表わす画像情報を、ＤＥＭＵＸ ＣＰＵ２４で分離された映像データに重畳させ、映像デコーダ２６に入力する。
【０１０４】
このときの画面表示面における画像表面の一例を図５に示す。ここで、この図５は、ダブルチューナ受信モードからダイバーシチ受信モードに切換えたときの表示例で、この場合、まず、図の右上に示したように、「ダイバーシチ受信に切換えました」といった文字による表示方法がある。
【０１０５】
また、図の右下に示したように、ダブルチューナ受信モードを表す１基のアンテナシンボル図形と、ダイバーシチ受信モードを表す２基のアンテナシンボル図形を用意しておき、これらの図形の切換えにより、ダブルチューナ受信モードからダイバーシチ受信モードに切換えたことを表示する方法もある。
【０１０６】
従って、この実施形態によれば、ユーザは、現在、受信機がダブルチューナ受信モードとダイバーシチ受信モードの何れの方式で動作しているかを、常時、認知することができる。
【０１０７】
ここで、上記の図５の実施形態では、受信機がダブルチューナ受信モードとダイバーシチ受信モードの何れの方式で動作しているかの報知を、画面内部における表示で与えるようにしているが、本発明の実施形態はこれに限らず、図６に示すように、画面外部に発光素子を設け、その発光状態でユーザに報知するようにしてもよい。
【０１０８】
この図６において、まず同図(a)は、１個の発光素子を使用し、その発光色をダブルチューナ受信モードとダイバーシチ受信モードに応じて変えるようにした場合の実施形態で、同図(b)は発光素子を２個使用し、ダブルチューナ受信モードとダイバーシチ受信モードに応じて、異なった発光素子が発光するようにした場合の実施形態である。
【０１０９】
図７は、この実施形態の構成例で、この場合、制御手段２０は、ダブルチューナ受信モードとダイバーシチ受信モードの何れの方式で動作しているかを表わす情報を発光部２９に送り、発光部２９では、ダブルチューナ受信モードであるかダイバーシチ受信モードであるかを判断する。
【０１１０】
そして、図６(a)の表示方式を採用したときは、１個ある発光素子の発光色をモードに応じて、例えば緑色と赤色に変え、図６(b)の表示方式を採用したときには、２個ある発光素子の一方と他方がモードに応じて別々に発光するようにするのである。
【０１１１】
一方、受信モードをユーザに報知する方法として、図８に示す実施形態のように、音声による手段を採用してもよく、この図８の実施形態では、ダブルチューナ受信モードからダイバーシチ受信モードに切換った場合、「ダイバーシチ受信に切換えました」という音声でユーザに報知する例が示されている。
【０１１２】
その他の報知手段として、受信機に内蔵された内部アンテナの移動を用いた実施形態を図９に示す。この図９の実施形態では、受信機に内蔵されている内部アンテナ４、５を移動させる手段が設けてある。
【０１１３】
そして、ダブルチューナ受信モードの場合は、内部アンテナ４、５が受信機内に収容されたままになり、ダイバーシチ受信式の場合は内部アンテナ４、５が受信機の外に引き出されるようになっていて、これにより受信モードの報知が得られるようになっている。
【０１１４】
このとき、図９(a)では、内部アンテナ４、５が受信機の側方に引き出され、図９(b)では、上部に引き出されるようになっているが、何れの実施形態でも内部アンテナ４、５の移動により報知される点では変りはない。
【０１１５】
従って、この実施形態によれば、報知と共に、ダイバーシチ受信モードのときは内部アンテナ４、５が外に出され感度が良くなるので、受信特性を改善することができる。
【０１１６】
ここで、以上のようにユーザに受信モードを報知するための手段、すなわち報知手段を備えた実施形態の場合、受信機の動作中は受信モードを常時報知させるようにしても良く、或いは受信モードを切換えた場合だけ報知されるようにしても良い。また、ユーザからの指示に応じて報知がされるようにしても良く、この場合、ユーザはいつでも必要に応じて受信モードを把握することができる。
【０１１７】
一方、このような受信モードをユーザに報知するようにした場合、必要に応じて報知がなされないようにすることができるようにしても良い。つまり、この場合は、報知手段をＯＮ、ＯＦＦする機能が設けられた状態で実施形態とするのである。
【０１１８】
この場合、ユーザは、リモコン、或いは受信機に設けられているボタンなどの入力手段を用い、図１〜図４の何れかの実施形態における制御手段２０に、マニュアルで報知手段をＯＮ／ＯＦＦするための制御信号が供給されるように構成する。
【０１１９】
そして、この制御信号が供給されたら、制御手段２０は、ユーザに受信モードを報知するための手段をＯＮ・ＯＦＦ制御し、ＯＮのときは報知が与えられ、ＯＦＦのときは報知が与えられないようにするのである。
【０１２０】
このときのユーザに受信モードを報知するための手段とは、例えば図５の実施形態における図形の表示や、図６の実施形態における発光素子の発光表示、図８の実施形態における音声表示、更には図９の実施形態における内部アンテナ４、５の移動による表示などで与えられるものである。
【０１２１】
従って、このように報知手段をＯＮ、ＯＦＦする機能が設けられた実施形態によれば、ユーザは、必要に応じて、いつでも受信モードの報知機能をＯＮ・ＯＦＦすることができる。
【０１２２】
上記実施形態によれば、受信状態や受信機の動作に応じて受信モードが自動的に切換えられるので、ダブルチューナ受信モードとダイバーシチ受信モードの何れにも対応して安定した受信特性の確保や、複数のチューナと復調部の効果的な利用が可能なデジタル受信装置において、ユーザは、視聴に使用されていないチューナについても、その動作状況がどのようになっているのか認識することができる。
【図面の簡単な説明】
【０１２３】
【図１】本発明によるデジタル受信装置の第１の実施形態をブロック構成で示した説明図である。
【図２】本発明によるデジタル受信装置の第２の実施形態をブロック構成で示した説明図である。
【図３】本発明によるデジタル受信装置の第３の実施形態をブロック構成で示した説明図である。
【図４】本発明によるデジタル受信装置の第４の実施形態をブロック構成で示した説明図である。
【図５】本発明の一実施形態において受信モードをユーザに報知するための手段の一例を示す説明図である。
【図６】本発明の一実施形態において受信モードをユーザに報知するための手段の他の一例を示す説明図である。
【図７】本発明によるデジタル受信装置の第５の実施形態をブロック構成で示した説明図である。
【図８】本発明の一実施形態において受信モードをユーザに報知するための手段の更に別の一例を示す説明図である。
【図９】本発明の一実施形態において受信モードをユーザに報知するための手段の更に別の一例を示す説明図である。
【図１０】従来技術によるデジタル受信装置の一例を示すブロック図である。
【符号の説明】
【０１２４】
１：外部アンテナ
２：外部アンテナ検出手段
３：分配器
４、５：内部アンテナ
６、７：アンテナ切換手段
８、９：チューナ
１０、１１：Ａ／Ｄ変換部
１２、１３：直交検波部
１４、１５：ＦＦＴ部
１６、１７：等化処理部
１８、１９：復号部
２０：制御手段
２１：選択手段
２２：ダイバーシチ制御手段
２３：復調部
２４：ＤＥＭＵＸ ＣＰＵ
２５：ＯＳＤ表示部
２６：映像デコーダ
２７：音声デコーダ
２８：受信状態判定手段
２９：発光部
【図１】
2008136216.tif 000003
【図２】
2008136216.tif 000004
【図３】
2008136216.tif 000005
【図４】
2008136216.tif 000006
【図５】
2008136216.tif 000007
【図６】
2008136216.tif 000008
【図７】
2008136216.tif 000009
【図８】
2008136216.tif 000010
【図９】
2008136216.tif 000011
【図１０】
2008136216.tif 000012